(57)【特許請求の範囲】
【請求項１】
球受け皿からの遊技球が、発射装置を経て遊技領域に発射され、さらに、入賞スイッチに到達可能に構成されるパチンコ遊技機であって、
前記球受け皿から前記発射装置に至るまでの遊技球の通路に、可撓性を有した紐状の連結材を付けた状態の遊技球を、少なくとも一周分、螺旋状に旋回させる旋回通路が配設されるとともに、
該旋回通路の中心付近に、操作不能に前記連結材を外周面に巻き付け可能な巻き付け具が、配設される構成として、
前記巻き付け具が、上下方向に沿って軸心を配置させて、配設されるとともに、
前記旋回通路が、前記遊技球を自重で転動させるように、前記巻き付け具の周囲で、上方から下方に向かって螺旋状とした転動部、を配置させて構成されていることを特徴とするパチンコ遊技機。
【請求項２】
前記巻き付け具の前記連結材の巻き付け面に、巻き付け時の前記連結材の動摩擦抵抗を増加させるように弾性変形する弾性変形部が配設されていることを特徴とする請求項１に記載のパチンコ遊技機。
【請求項３】
前記巻き付け具の前記連結材の巻き付け部位が、小径部と該小径部から両側にテーパ状に拡径するテーパ部とを有した鼓形状に形成され、
前記旋回通路が、前記巻き付け部位の前記鼓形状における両テーパ部間に跨る長さ寸法のピッチとして、配設されていることを特徴とする請求項１若しくは請求項２に記載のパチンコ遊技機。
【請求項４】
前記球受け皿からの遊技球を前記発射装置の発射レール上に順に送る球送り装置が、
前記旋回通路を経た遊技球を、前記発射レール上に流下させるように転動させるガイドレール部と、
前記旋回通路を経た遊技球を、順に、前記ガイドレール部上で転動するように、一球ずつ移送する揺動送り部材と、
該揺動送り部材を保持して、前記揺動送り部材を揺動させる回動駆動軸と、
該回動駆動軸を回動させる駆動源と、
を備えて構成され、
前記巻き付け具が、前記回動駆動軸から構成されていることを特徴とする請求項１乃至請求項３のいずれか１項に記載のパチンコ遊技機。
【請求項５】
前記巻き付け具の前記連結材との接触部位に、前記連結材を切断可能なカッタが、配設されていることを特徴とする請求項１乃至請求項４のいずれか１項に記載のパチンコ遊技機。
【発明の詳細な説明】
【技術分野】
【０００１】
本発明は、遊技球が、可撓性を有した紐状の連結材を付けられた状態で、球受け皿を経て発射された際に、遊技球の移動のための連結材の操作を不能にできて、不正行為を防止できるパチンコ遊技機に関する。
【背景技術】
【０００２】
昨今、パチンコ遊技機において、不正に賞球を得る不正行為として、可撓性を有した細い（０．１〜０．３φ程度）釣り糸のような連結材を、遊技球に取り付け、その遊技球を発射装置から遊技領域に打ち出し、そして、普通入賞口等の入賞口の入賞スイッチの部位で、連結材を操作して、遊技球を往復移動させることにより、入賞スイッチを何回もオンさせて、不正に賞球を得る行為があった。
【０００３】
なお、連結材を遊技球に取り付けて行う不正行為としては、他に、連結材を把持した状態で、遊技球を計数機に投入し、連結材を操作して、遊技球を玉センサ部分で往復移動させることにより、計数値を多くするものがあった（例えば、特許文献１参照）。そして、従来、このような不正行為の対策としては、玉センサ部分での反転するような遊技球の異常な移動を、所定のレバースイッチで検知し、その不正行為を報知していた。
【０００４】
そこで、パチンコ遊技機において、遊技球に付けた連結材の操作による不正行為に対し、上記のレバースイッチ等を入賞スイッチ付近に設けて対処することが考えられる。
【先行技術文献】
【特許文献】
【０００５】
【特許文献１】特開平１０−８５４４１号公報（第５〜７頁、図１）
【発明の概要】
【発明が解決しようとする課題】
【０００６】
しかし、従来のパチンコ遊技機では、入賞口の数が多く、各入賞口に、反転する遊技球の移動をセンシングするレバースイッチ等を配置することは、レバースイッチ等に連結する電源線や信号線を含めて、設置スペースや部品点数の増加を招くことから、好ましくない。
【０００７】
本発明は、上述の課題を解決するものであり、連結材を付けた遊技球を使用しようとしても、簡便な構成として、その遊技球の操作を不能にできるパチンコ遊技機を提供することを目的とする。
【課題を解決するための手段】
【０００８】
本発明に係るパチンコ遊技機は、球受け皿からの遊技球が、発射装置を経て遊技領域に発射され、さらに、入賞スイッチに到達可能に構成されるパチンコ遊技機であって、
球受け皿から発射装置に至るまでの遊技球の通路に、可撓性を有した紐状の連結材を付けた状態の遊技球を、少なくとも一周分、螺旋状に旋回させる旋回通路が配設されるとともに、
旋回通路の中心付近に、操作不能に連結材を外周面に巻き付け可能な巻き付け具が、配設される構成として、
巻き付け具が、上下方向に沿って軸心を配置させて、配設されるとともに、
旋回通路が、遊技球を自重で転動させるように、巻き付け具の周囲で、上方から下方に向かって螺旋状とした転動部、を配置させて構成されていることを特徴とする。
【０００９】
本発明に係るパチンコ遊技機では、連結材を付けた遊技球が、球受け皿から発射装置に移動しようとすれば、遊技球が旋回通路を通過して、遊技球に連なる連結材が、巻き付け具の外周面に、少なくとも一周分、巻き付けられる。そして、遊技球が発射装置により発射されれば、連結材が、巻き付け具の外周面に、弛みなく、強く巻き付けられる。
【００１０】
そのため、連結材を外周面に巻き付けた巻き付け具は、摩擦抵抗を利用して、連結材自体の繰出操作や引張操作を不能にできて、遊技球の操作をできなくしたり、あるいは、遊技球の発射に伴う急激な引張り力により、連結材を切断して、遊技球の操作を不能にすることができる。
【００１１】
そして、本発明に係るパチンコ遊技機では、球受け皿から発射装置に至るまでの遊技球の通路に、単に、遊技球の旋回通路とその中心付近に配置させる巻き付け具と、を設けるだけで、容易に、連結材の操作を不能にすることができて、簡便な構成で、遊技球の操作を不能にできて、不正行為を防止できる。
【００１２】
そして、本発明に係るパチンコ遊技機では、旋回通路が、上下方向に沿って軸心を配置させた巻き付け具の周囲で、上方から下方に向かって螺旋状の転動部を配置させて構成されることとなり、単に、遊技球を自重で旋回通路上に転動させるだけで、遊技球に連なる連結材を、簡単に、巻き付け具に巻き付けることができ、一層、簡便に構成することができる。
【００１３】
また、本発明に係るパチンコ遊技機では、巻き付け具の連結材の巻き付け面には、巻き付け時の前記連結材の動摩擦抵抗を増加させるように弾性変形する弾性変形部を配設してもよい。このような構成では、巻き付け具の巻き付け面に巻き付けられる連結材は、弾性変形部を弾性変形させつつ、巻き付けられて、動摩擦抵抗を増加させることから、一層、連結材の移動を停止できるため、遊技球の操作を不能にできる。
【００１４】
さらに、本発明に係るパチンコ遊技機では、巻き付け具の連結材の巻き付け部位を、小径部と小径部から両側にテーパ状に拡径するテーパ部とを設けた鼓形状に形成し、
旋回通路を、巻き付け部位の鼓形状における両テーパ部間に跨る長さ寸法のピッチとして、配設することが望ましい。
【００１５】
このような構成では、遊技球が旋回通路を移動すれば、連結材が、巻き付け部位に対し、少なくとも一周分、巻き付けられる。その時、巻き付け部位が、鼓形状として、旋回通路が、巻き付け部位の両テーパ部間に跨る長さ寸法のピッチとしており、連結材が、緊張状態としていれば、両側のテーパ部に案内されて、小径部の外周で、少なくとも一回り分、結ばれるように重なり、その結果、連結材は、連結材相互の押さえや摩擦抵抗を付加され、一層強固に、移動停止となる。
【００１６】
さらにまた、本発明に係るパチンコ遊技機において、球受け皿からの遊技球を発射装置の発射レール上に順に送る球送り装置が、
旋回通路を経た遊技球を、発射レール上に流下させるように転動させるガイドレール部と、
旋回通路を経た遊技球を、順に、ガイドレール部上で転動するように、一球ずつ移送する揺動送り部材と、
揺動送り部材を保持して、揺動送り部材を揺動させる回動駆動軸と、
回動駆動軸を回動させる駆動源と、
を備えて構成されている場合には、巻き付け具を、回動駆動軸から構成してもよい。
【００１７】
このような構成では、巻き付け具を球送り装置の回動駆動軸と兼用でき、別途、巻き付け具を設ける場合に比べて、省スペースとして、球受け皿から発射装置に至るエリアに、巻き付け具を配設できる。また、巻き付け具が、回動駆動軸と兼用とされているため、連結材を巻き付けた状態で、回動することから、連結材に無理な張力をかけて、連結材を切断することも可能となる。
【００１８】
さらに、本発明に係るパチンコ遊技機では、巻き付け具の連結材との接触部位に、連結材を切断可能なカッタを、配設させてもよい。このような構成では、巻き付け具に強く連結材が巻き付けば、カッタによって、積極的に、切断することが可能となり、切断による遊技球の操作不能を、一層、安定して行うことができる。
【発明の効果】
【００１９】
したがって、本発明に係るパチンコ遊技機では、連結材を付けた遊技球を使用しようとしても、簡便な構成として、その遊技球の操作を不能にできる。
【図面の簡単な説明】
【００２０】
【図１】本発明に係る一実施形態のパチンコ遊技機の概略正面図である。
【図２】実施形態のパチンコ遊技機における本体枠に対して、前面枠を開けた状態を示す概略部分斜視図であり、遊技盤を省略している。
【図３】図２に示す状態から、球送り装置を外した状態を示す概略部分斜視図である。
【図４】図３に示す状態の本体枠側の発射装置に対し、球送り装置を配置させた状態と、球送り装置を外した状態と、を示す概略斜視図である。
【図５】実施形態のパチンコ遊技機の本体枠側を示す概略正面図である。
【図６】実施形態の球送り装置を示す概略部分破断背面図である。
【図７】実施形態の球送り装置の概略部分破断斜視図であり、旋回通路の側壁を省いた状態を示す。
【図８】図７に示す状態から、揺動送り部材を流下口側に向けるように回動させた状態を示す。
【図９】実施形態の球送り装置の要部の概略分解斜視図である。
【図１０】実施形態の巻き付け具に連結材が巻き付く状態を説明する図である。
【図１１】実施形態の巻き付け具に、連結材が、強く巻き付く状態を説明する図である。
【図１２】実施形態の巻き付け具の変形例を示す概略部分断面図である。
【図１３】実施形態の巻き付け具の他の変形例に、連結材が巻き付く状態を説明する図である。
【図１４】実施形態の巻き付け具のさらに他の変形例に、連結材が巻き付く状態を説明する図である。
【図１５】実施形態の巻き付け具のさらに他の変形例に、連結材が巻き付く状態を説明する図である。
【発明を実施するための形態】
【００２１】
＜実施形態＞
以下、本発明の一実施形態を図面に基づいて説明すると、実施形態のパチンコ遊技機１は、図１，２に示すように、本体枠２と、本体枠２にヒンジ結合されて開閉可能な前面枠３と、を備えて構成されている。本体枠２は、外枠（機枠）２ａと、外枠２ａにヒンジ結合されて開閉可能とし、遊技盤５を設けてなる中枠（内枠）２ｂと、を備えて構成されている。前面枠３は、遊技盤５の前方側に配置される透明なガラス部４１と、ガラス部４１の下方に配置されて、球受け皿４４を設けた皿ユニット部４３と、を備えて構成されている。皿ユニット部４３には、遊技球を遊技盤５の遊技領域１２に打ち出すために操作するハンドル４８や皿球抜きボタン４９、通路球抜きボタン５０、演出ボタン５１が配設されている。
【００２２】
遊技盤５の外縁側には、外側レール部９と内側レール部１０とを有してなるレール部８が配設され、レール部８の内側の遊技領域１２には、中央に配置された画像表示装置１５を設けてなるセンター役物１４や、その周囲に配置される図示しない釘、風車１７、普通入賞口１８、賞球の無い入賞口（ゲート）１９、第１始動口２０、第２始動口（電動チューリップ）２１、大入賞口（アタッカー）２２、アウト口２３等の公知の部材が、配設されている。
【００２３】
このパチンコ遊技機１では、ハンドル４８を操作すれば、皿ユニット部４３の内部に設けられた球送り装置６０の後述する揺動送り部材６７（図７〜９参照）と、遊技盤５の下方に配置された発射装置３０の発射杆３２（図５，６参照）と、が連動するように作動されて、球受け皿４４上の遊技球が、球送り装置６０の揺動送り部材６７によって、１球ずつ、発射装置３０の後述する発射レール３５上に送られ、ついで、発射装置３０の発射杆３２が、発射レール３５上の遊技球を、叩いて発射させることから、遊技球が、発射装置３０から、レール部８を経て、遊技領域１２に打ち出されることとなる。
【００２４】
そして、遊技領域１２に打ち出された遊技球は、普通入賞口１８、ゲート１９、第１始動口２０、第２始動口２１、大入賞口２２、アウト口２３のいずれかに入球する。この時、遊技球が、普通入賞口１８、第１始動口２０、開放時の第２始動口２１や大入賞口２２に入賞すれば、所定数の遊技球が球受け皿４４上に払い出され、ゲート１９を通過すれば、抽選により第２始動口２１を所定時間若しくは所定回数開放させることとなる。また、遊技球が、第１始動口２０や開放時の第２始動口２１に入賞すれば、抽選により、大当たり、中当たり、小当たり等の当たりや外れが決定され、当たりとなれば、大入賞口２２を、その当たりに応じて開放時間、開放回数、入賞個数等を制限して、開放することとなる。これらの作動や遊技フローは、公知のものであり、遊技盤５の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ２７やスピーカ２８等を作動させつつ、所定の演出を画像表示装置１５に表示することとなる。
【００２５】
このようなパチンコ遊技機１に対し、不正行為者は、可撓性を有した０．１〜０．３φ程度の細い釣り糸のような連結材Ｓを付けた遊技球Ｂを、通常の遊技球と同様に、球受け皿４４から、ハンドル４８を操作し、球送り装置６０を経て、発射装置３０に送り、発射装置３０から遊技領域１２へ打ち出す。その際、連結材Ｓの元部端側は、球受け皿４４側に残しておく。そして、不正行為者は、その連結材Ｓの元部側を引張ったり繰出したりして、遊技球Ｂを操作し、遊技球Ｂを、賞球のある既述の入賞口１８，２０，２１，２２に入球させ、それらの入賞スイッチ（球検知スイッチ）２５の部位で、連結材Ｓを操作して、遊技球Ｂを往復移動させることにより、入賞スイッチ２５を何回もオンさせて、賞球を得ようと、不正を働くこととなる。
【００２６】
発射装置３０について説明すると、発射装置３０は、図４〜６に示すように、前方側をカバー３３に覆われた発射杆３２と、発射通路３４と、を備えて構成されている。発射杆３２は、揺動中心部３２ａから放射状に延びる打球部３２ｂとアーム部３２ｃとを備え、揺動中心部３２ａが図示しないロータリソレノイドの通電によって回動されれば、発射杆３２が、正面視で、打撃位置ＢＰまで時計回り方向に回転し、発射通路３４の発射レール３５上にある遊技球Ｂを打球部３２ｂによって叩き、ついで、ロータリソレノイドの通電停止により、発射杆３２が、図示しない磁石の吸着力と自重とにより、反時計回り方向に回転して、原位置ＦＰに復帰することとなる。なお、アーム部３２ｃは、発射杆３２の打撃位置ＢＰと復帰位置ＦＰとへの配置を的確に行えるように、図示しない所定のストッパに当接して、発射杆３２を一定位置に配置できるように、構成されるとともに、所定位置に配置される磁石に対応して、発射杆３２の復帰時に吸着される部位、として形成されている。
【００２７】
発射通路３４は、板金製として上面側をＶ字状に凹ませた発射レール３５と、その周囲の下ガイドレール３６及び上ガイドレール３７と、を備えて構成され、さらに、後面側を、発射装置３０のベース板３１に囲われ、前面側を、前面枠３側の球送り装置６０等の部材に囲われて、構成されている。
【００２８】
そのため、発射レール３５上で打球部３２ｂに叩かれた遊技球Ｂは、図５に示すように、発射通路３４を上昇し、中枠２ｂに設けられた転動路２ｃ等を経て、レール部８側に発射され、そして、レール部８を経て、遊技領域１２に打ち出される。
【００２９】
なお、レール部８の下方には、図２，５に示すように、前面枠３側に設けられた球案内樋部５３が配設されている。この球案内樋部５３は、発射装置３０によって発射された遊技球Ｂが遊技領域１２に打ち出されずにレール部８内を戻ってくる遊技球Ｂを、球受け皿４４側に戻す戻し通路５４を備えて構成され、外側レール部９の下端９ａの下方に、戻し通路５４の流入口５４ａを開口させている。さらに、球案内樋部５３には、戻し通路５４の後方側に配置されて、賞球や貸し出しで払い出される遊技球を、球受け皿４４側に転動させる払出側通路５５も、配設されている。図２に示す符号５５ａの部位は、払出側通路５５の流入口である。さらに、図２に示す符号５６は、発射通路３４を上昇する遊技球を転動させる転動路５６である。
【００３０】
そして、このパチンコ遊技機１では、図６〜１１に示すように、球送り装置６０に、旋回通路７６と巻き付け具８３とを、配設させている。
【００３１】
球送り装置６０は、図２〜４に示すように、球受け皿４４の遊技球Ｂの転動路４５（図１参照）における終端（下端）の排出口４６に連なるように、配設されている。なお、排出口４６は、図３に示すように、前面枠３の後面に開口されており、その下縁側には、通路球抜きボタン５０の操作により、スライドして、球送り装置６０側ではなく、球受け皿４４から下方に遊技球を排出するように開口するシャッタ４７が、配設されている。
【００３２】
球送り装置６０は、ケース６１、ロータリソレノイド６４、揺動送り部材６７、遊技球通路７２、及び、巻き付け具８３、を備えて構成されている。ケース６１は、相互に締結される前カバー６２と後カバー６３とを備えて構成されている。実施形態の場合、ケース６１の前カバー６２と後カバー６３とは、相互の結合時、遊技球通路７２を形成するように構成されている。勿論、遊技球通路７２は、適宜、ケース６１と別部品を組み合わせて構成してもよい。
【００３３】
ロータリソレノイド６４は、巻き付け具８３を構成する回動駆動軸６５の軸心Ｃを、上下方向に沿わせるように配設させるとともに、所定角度分、換言すれば、揺動送り部材６７の凹部６７ａを、後述する流出口７８の直下位置と流下口８１側に向ける位置とに、配置させるように、往復回動させるものであり、適宜、図示しないストッパや戻しばねを設けて構成されている。
【００３４】
揺動送り部材６７は、平面視としてＵ字状として、「Ｕ」の字の底部６８に回動駆動軸６５の下端６５ａを連結させている。揺動送り部材６７は、底部６８から二又状に突出する規制壁部６９，７０を備えて、ロータリソレノイド６４の回動駆動軸６５の所定角度の往復回動移動により、左右に揺動することとなる。そして、この揺動送り部材６７は、凹部６７ａが、遊技球Ｂを一個分収納可能な大きさとして、既述したように、旋回通路７６の流出口７８の直下に配置させた際、旋回通路７６を転動していた遊技球Ｂを、収納保持し、その後、凹部６７ａをガイドレール部８０の流下口８１側に向け（図８参照）、そして、復帰するように、回動する。その際、凹部６７ａに収納した遊技球Ｂをガイドレール部８０の流下口８１側に向ければ、遊技球Ｂを開放して、ガイドレール部８０上て転動させることとなり、ガイドレール部８０上を転動した遊技球Ｂは、流下口８１から発射装置３０の発射レール３５上に、流下することとなる（図６参照）。なお、凹部６７ａを流下口８１側に向ける際には、規制杆部７０が流出口７８を下方で塞ぐことから、旋回通路７６の遊技球Ｂはガイドレール部８０上に流入することはなく、揺動送り部材６７の一往復の回動時、一個ずつ、遊技球Ｂが、発射装置３０の発射レール３５上に順に送られることとなる。
【００３５】
遊技球通路７２は、球受け皿４４の排出口４６に連なる流入口部７３と、発射レール３５上に遊技球Ｂを落下させるガイドレール部８０と、流入口部７３とガイドレール部８０との間の旋回通路７６と、を備えて構成されている。流入口部７３は、排出口４６から後方へ伸びるように配設される凹溝状として、後方へ斜め下方向に下がる底壁７３ａと、底壁７３ａの左右両側の側壁７３ｂ，７３ｃと、を備えて構成されている。
【００３６】
旋回通路７６は、流入口部７３からの遊技球Ｂを、回動駆動軸６５からなる巻き付け具８３を中心として、少なくとも一周分、螺旋状に旋回させるように、配設されている。旋回通路７６は、実施形態の場合、反時計方向回りで降下する螺旋状の底壁７６ａと、底壁７６ａの外周縁側に配置される側壁７６ｃと、を備えて構成されている。底壁７６ａの内周縁７６ｂ側には、巻き付け具８３を挿通させるように、挿通孔７７を開けている。
【００３７】
そして、実施形態の場合、旋回通路７６は、流入口部７３からの遊技球Ｂを、巻き付け具８３の回りで、一回転半させて、ガイドレール部８０に落下させるように、構成されている。旋回通路７６の下端には、底壁７６ａに設けられた流出口７８が開口され、揺動送り部材６７の凹部６７ａが流出口７８の直下に配置された際、遊技球Ｂを流出口７８から凹部６７ａに落下させるように、構成されている。流出口７８の周縁の底壁７６ａ上には、上端の流入口部７３側から旋回通路７６を転動してくる遊技球Ｂを流出口７８の部位で停止させるように、受止壁７９が配設されている。
【００３８】
ガイドレール部８０は、流出口７８の下方で、後下方に延びるように配設され、底壁８０ａと、底壁８０ａの左右両縁で上方に延びる側壁８０ｂ，８０ｃと、を備えて構成され、後端を、発射レール３５上に遊技球Ｂを落下させる流下口８１、としている。右方側の側壁８０ｃは、揺動送り部材６７の回動時に干渉しないように、左方側の側壁８０ｂより、前端側を後方にずらして配設されている。
【００３９】
巻き付け具８３は、旋回通路７６を転動する遊技球Ｂに連結材Ｓが付けられていれば、その連結材Ｓが巻き付けられ、その巻き付け部位８４は、谷となるような小径部８５と、小径部８５から上下両側にテーパ状に拡径するテーパ部８６，８７と、を有した鼓形状に形成されている。
【００４０】
そして、旋回通路７６は、巻き付け具８３の巻き付け部位８４の鼓形状における両テーパ部８６，８７間に跨る長さ寸法のピッチＰ０として、配設されている。換言すれば、巻き付け部位８４におけるテーパ部８６，８７の上下端までの長さ寸法Ｌ０が、旋回通路７６のピッチＰ０より、大きく設定されている。ちなみに、実施形態の場合、旋回通路７６は、螺旋状のピッチＰ０を、遊技球Ｂの直径寸法Ｄより大きく、また、二個分の遊技球Ｂの二個分の長さ寸法２Ｄより、小さくするように、設定されている。
【００４１】
この実施形態の旋回通路７６と巻き付け具８３とを設けた球送り装置６０では、不正行為者が、ハンドル４８を操作して、連結材Ｓを付けた遊技球Ｂを、球受け皿４４の転動路４５と排出口４６と経て、球送り装置６０に流入させ、さらに、発射装置３０から、レール部８を経て、遊技領域１２に打ち出そうとする際、その球送り装置６０の部位では、図７，１０に示すような挙動となる。
【００４２】
すなわち、連結材Ｓを付けた遊技球Ｂが、旋回通路７６を通過して、遊技球Ｂに連なる連結材Ｓが、巻き付け具８３の巻き付け部位８４の外周面８４ａに、少なくとも一周分、巻き付けられる。そして、遊技球Ｂが発射装置３０により発射されれば、連結材Ｓが、図１１のＡ，Ｂに示すように、巻き付け具８３の外周面８４ａに、弛みなく、強く巻き付けられる。
【００４３】
そのため、連結材Ｓを外周面８４ａに巻き付けた巻き付け具８３は、摩擦抵抗を利用して、連結材Ｓ自体の繰出操作や引張操作を不能にできて、遊技球Ｂの操作をできなくしたり、あるいは、遊技球Ｂの発射に伴う急激な引張り力により、連結材Ｓを切断して、遊技球Ｂの操作を不能にすることができる。
【００４４】
そして、実施形態のパチンコ遊技機１では、球受け皿４４から発射装置３０に至るまでの遊技球Ｂの通路に、単に、遊技球Ｂの旋回通路７６とその中心に配置させる巻き付け具８３と、を設けるだけで、容易に、連結材Ｓの操作を不能にすることができて、簡便な構成で、遊技球Ｂの操作を不能にできて、不正行為を防止できる。
【００４５】
したがって、実施形態のパチンコ遊技機１では、連結材Ｓを付けた遊技球Ｂを使用しようとしても、簡便な構成として、その遊技球Ｂの操作を不能にできる。
【００４６】
そして、実施形態では、巻き付け具８３は、上下方向に沿って軸心Ｃを配置させて、構成されている。そのため、実施形態では、旋回通路７６が巻き付け具８３の周囲で上方から下方に向かって螺旋状の転動部７６ｄを配置させて構成されることとなり、単に、遊技球Ｂを自重で旋回通路７６の底壁７６ａの上面（転動部７６ｄ）に転動させるだけで、遊技球Ｂに連なる連結材Ｓを、簡単に、巻き付け具８３に巻き付けることができ、一層、簡便に構成することができる。
【００４７】
また、実施形態のパチンコ遊技機１では、巻き付け具の連結材の巻き付け部位８４を、小径部８５と小径部８５から両側にテーパ状に拡径するテーパ部８６，８７とを設けた鼓形状に形成している。そして、旋回通路７６が、巻き付け部位８４の鼓形状における両テーパ部８６，８７間に跨る長さ寸法のピッチＰ０として、配設されている。
【００４８】
このような構成では、遊技球Ｂが旋回通路７６を移動すれば、図１０，１１に示すように、連結材Ｓが、巻き付け部位８４に対し、少なくとも一周分、巻き付けられる。その時、巻き付け部位８４が、鼓形状として、旋回通路７６が、巻き付け部位８４の両テーパ部８６，８７間に跨る長さ寸法のピッチＰ０としており、連結材Ｓが、緊張状態としていれば、両側のテーパ部８６，８７に案内されて、谷のような小径部（底部）８５の外周で、少なくとも一回り分、結ばれるように重なり、その結果、連結材Ｓは、連結材Ｓ相互の押さえや摩擦抵抗を付加され、一層強固に、移動停止となる。そのため、発射装置３０の発射により、小径部８５の部位で結んだような連結材Ｓを付けた遊技球Ｂが、発射装置３０により、発射されれば、連結材Ｓが、切断される、あるいは、移動を停止されて、遊技球Ｂを遊技領域１２に到達させずに、戻し通路５４側に戻し、共に、遊技球Ｂの操作を不能にすることができる。
【００４９】
勿論、上記の点を考慮しなければ、単に、巻き付け部位８４は、鼓状でなく、直線状に形成してもよい。
【００５０】
さらに、実施形態のパチンコ遊技機１では、球受け皿４４からの遊技球Ｂを発射装置３０の発射レール３５上に順に送る球送り装置６０に、旋回通路７６と巻き付け具８３とを、配設させている。すなわち、この球送り装置６０は、旋回通路７６を経た遊技球Ｂを、発射レール３５上に流下させるように転動させるガイドレール部８０と、旋回通路７６を経た遊技球Ｂを、順に、ガイドレール部８０上で転動するように、一球ずつ移送する揺動送り部材６７と、揺動送り部材６７を保持して、揺動送り部材６７を揺動させる回動駆動軸６５と、回動駆動軸６５を回動させる駆動源としてのロータリソレノイド６４と、を備えて構成されている。そして、巻き付け具８３が、回動駆動軸６５から構成されている。
【００５１】
そのため、実施形態のパチンコ遊技機１では、巻き付け具８３を球送り装置６０の回動駆動軸６５と兼用でき、別途、巻き付け具８３を設ける場合に比べて、省スペースとして、球受け皿４４から発射装置３０に至るエリアに、巻き付け具８３を配設できる。また、巻き付け具８３が、回動駆動軸６５と兼用とされているため、連結材Ｓを巻き付けた状態で、正転と逆転とを繰り返すように、回動することから、連結材Ｓに無理な張力をかけて、連結材Ｓを切断することも可能となる。
【００５２】
＜変形例＞
なお、実施形態の変形例として、図１２に示す巻き付け具８３Ａのように、連結材Ｓの巻き付け面、すなわち、巻き付け部位８４の外周面８４ａに、ウレタンゴム等からなる弾性変形部（弾性被覆部）８９を配設してもよい。このような巻き付け具８３Ａでは、巻き付け具の巻き付け面８４ａに巻き付けられる連結材Ｓは、弾性変形部８９を弾性変形させつつ、巻き付けられて、動摩擦抵抗を増加させることから、一層、連結材Ｓの移動を停止できるため、遊技球Ｂの操作を不能にできる。
【００５３】
ちなみに、この巻き付け具８３Ａでは、巻き付け部位８４を鼓形状とした場合を示したが、単に、巻き付け部位８４を円柱状として、その巻き付け面８４ａに弾性変形部８９を設けてもよい。また、この弾性変形部８９は、巻き付け部位８４の外表面に設けられていればよいが、揺動送り部材６７を揺動可能な形状保持性を有していれば、巻き付け具８３Ａ自体を、動摩擦抵抗を増大させるゴム等の弾性材料から形成してもよい。
【００５４】
また、実施形態の変形例として、図１３に示す巻き付け具８３Ｂのように、連結材Ｓとの接触部位８３ａに、連結材Ｓを切断可能なカッタ９１を、配設させてもよい。このような巻き付け具８３Ｂでは、巻き付け具８３Ｂに強く連結材Ｓが巻き付けば、カッタ９１によって、積極的に、切断することが可能となり、切断による遊技球Ｂの操作不能を、一層、安定して行うことができる。
【００５５】
なお、図例では、カッタ９１をテーパ部８６，８７にも受けた場合を示したが、小径部８５だけ、あるいは、小径部８５を含めた巻き付け部位８４の全域に、カッタ９１を配設してもよい。
【００５６】
また、カッタ９１は、図例のように、鋭利な薄刃状の切刃９１ａを設けて構成してもよいし、砥石から構成してもよい。
【００５７】
なお、連結材Ｓを切断可能なカッタを巻き付け具に設ける場合には、巻き付け部位は、図例のような鼓状としなくとも、直線状に形成してもよい。
【００５８】
さらに、実施形態の変形例として、図１４に示す巻き付け具８３Ｃのように、連結材Ｓの巻き付け部位８４の外周面８４ａに、凹凸を設けて摩擦抵抗や引掛り抵抗を増加させるように、多数の突起９３を設けてもよい。このような巻き付け具８３Ｃでは、連結材Ｓを巻き付け部位８４に巻き付ける際、多数の突起９３や凹凸により、摩擦抵抗や引掛り抵抗が増して、連結材Ｓの移動を効果的に停止させることができる。
【００５９】
なお、巻き付け面に凹凸を設ける場合には、巻き付け部位は、図例のような鼓状としなくとも、直線状に形成してもよい。
【００６０】
さらにまた、実施形態の変形例として、図１５に示す巻き付け具８３Ｄのように、連結材Ｓを巻き付け部位８４に巻き付ける際、連結材Ｓの保持力（移動停止力）を向上させるように、挟持機構９５を設けてもよい。この挟持機構９５は、鼓形状とする巻き付け部位８４において、谷となるような小径部８５を間にする少なくとも一方のテーパ部８６を、円錐台形状のパイプ材から形成した押圧材９６とし、その先端の端面９６ａを、他方のテーパ部８７からなる受け座９７の端面９７ａ側に押圧するように、付勢手段としてのばね９８により、押圧させている。
【００６１】
なお、この巻き付け具８３Ｄは、パイプ材からなるテーパ部８６側を挿通する中心軸９９を備え、この中心軸９９が、球送り装置６０のロータリソレノイド６４の回動する回動駆動軸６５として、構成され、下端に、揺動送り部材６７を結合させている。
【００６２】
この巻き付け具８３Ｄでは、巻き付け部位８４に連結材Ｓが巻き付けられると、連結材Ｓが、テーパ部８６，８７の傾斜により、小径部８５に案内され、さらに、押圧材９６の端面９６ａと受け座９７の端面９７ａとの間に入り、そして、中心軸９９に巻き付けられるとともに、ばね９８の押圧力により、押圧材９６の端面９６ａと受け座９７の端面９７ａとの間で挟持されることとなって、移動を停止され、その結果、連結材Ｓに連なる遊技球Ｂの操作が不能となる。
【符号の説明】
【００６３】
１…パチンコ遊技機、
１２…遊技領域、
２５…（入賞スイッチ）球検知スイッチ、
３０…発射装置、
３５…発射レール、
４４…球受け皿、
４８…ハンドル、
６０…球送り装置、
６４…（駆動源）ロータリソレノイド、
６５…回動駆動軸、
６７…揺動送り部材、
７６…旋回通路、
８０…ガイドレール部、
８３，８３Ａ、８３Ｂ，８３Ｃ，８４Ｄ…巻き付け具、
８４…巻き付け部位、
８４ａ…（巻き付け面）外周面、
８５…小径部、
８６，８７…テーパ部、
８９…弾性被覆層、
９１…カッタ、
Ｓ…連結材、
Ｂ…遊技球。
【図１】
0005279792.tif 000002
【図２】
0005279792.tif 000003
【図３】
0005279792.tif 000004
【図４】
0005279792.tif 000005
【図５】
0005279792.tif 000006
【図６】
0005279792.tif 000007
【図７】
0005279792.tif 000008
【図８】
0005279792.tif 000009
【図９】
0005279792.tif 000010
【図１０】
0005279792.tif 000011
【図１１】
0005279792.tif 000012
【図１２】
0005279792.tif 000013
【図１３】
0005279792.tif 000014
【図１４】
0005279792.tif 000015
【図１５】
0005279792.tif 000016